(57)【特許請求の範囲】
【請求項１】
椅子と共に回転する円板に対してロックシリンダのロック杆を突出させることで前記円板に係合されて椅子の回転が阻止される理美容用椅子等におけるロック装置において、
モータポンプに対して並列接続された椅子上昇用電磁バルブと背凭れ起立用電磁バルブと、前記椅子上昇用電磁バルブよりの油は通過させる椅子用逆止弁を介して直列接続された椅子下降用電磁バルブと、前記椅子用逆止弁と前記椅子下降用電磁弁との接続点に接続された椅子昇降用シリンダと、前記背凭れ起立用電磁弁よりの油は通過させる背凭れ用逆止弁を介して直列接続された背凭れ伏倒用電磁バルブと、前記背凭れ用逆止弁と前記背凭れ伏倒用電磁弁との接続点に接続された背凭れ起伏用シリンダと、前記モータポンプに並列接続された前記椅子上昇用電磁バルブと前記背凭れ起立用電磁弁よりも上流側にモータポンプよりの油は通過させるロック用逆止弁を介して接続されロック用シリンダと、前記ロック用逆止弁と前記ロック用シリンダとの接続点に接続されたロック解除用電磁バルブと、前記ロック用逆止弁と前記モータポンプとの接続点より下流側における前記椅子上昇用電磁バルブと前記背凭れ起立用電磁バルブとのそれぞれに接続された絞り弁とより構成し、
前記モータポンプよりの油が前記椅子上昇用電磁バルブおよび背凭れ起立用電磁バルブに流れる際にそれぞれに接続されている絞り弁によって流量制限が行われることで、前記ロック用逆止弁を介して前記ロック用シリンダに油が流れ、これによりロック杆が円板に係合されて椅子の回転が阻止されることを特徴とする理美容用椅子等におけるロック装置。
【請求項２】
椅子と共に回転する円板に対してロックシリンダのロック杆を突出させることで前記円板に係合されて椅子の回転が阻止される理美容用椅子等におけるロック装置において、
モータポンプに対して並列接続された椅子上昇用電磁バルブと背凭れ起立用電磁バルブと、前記椅子上昇用電磁バルブよりの油は通過させる椅子用逆止弁を介して直列接続された椅子下降用電磁バルブと、前記椅子用逆止弁と前記椅子下降用電磁弁との接続点に接続された椅子昇降用シリンダと、前記背凭れ起立用電磁弁よりの油は通過させる背凭れ用逆止弁を介して直列接続された背凭れ伏倒用電磁バルブと、前記背凭れ用逆止弁と前記背凭れ伏倒用電磁弁との接続点に接続された背凭れ起伏用シリンダと、前記モータポンプに並列接続された前記椅子上昇用電磁バルブと前記背凭れ起立用電磁弁よりも上流側にモータポンプよりの油は通過させるロック用逆止弁を介して接続されロック用シリンダと、前記ロック用逆止弁と前記ロック用シリンダとの接続点に接続されたロック解除用電磁バルブと、前記ロック用逆止弁と前記モータポンプとの接続点より下流側における前記椅子上昇用電磁バルブと前記背凭れ起立用電磁バルブとの接続点に接続された１個の絞り弁とより構成し、
前記モータポンプよりの油が前記椅子上昇用電磁バルブおよび背凭れ起立用電磁バルブに流れる際に前記絞り弁によって流量制限が行われることで、前記ロック用逆止弁を介して前記ロック用シリンダに油が流れ、これによりロック杆が円板に係合されて椅子の回転が阻止されることを特徴とする理美容用椅子等におけるロック装置。
【発明の詳細な説明】
【０００１】
【発明の属する技術分野】
本発明は理美容椅子等のような回転、昇降および背凭れの傾動が行えるようにした椅子において、前記椅子の回転、ロックを１つのペダルで行えるようにすると共に、椅子の昇降および背凭れの傾動時には椅子の回転が行われないようにロックが自動的に行われるようにした理美容椅子等におけるロック装置に関する。
【０００２】
【従来の技術】
従来における椅子全体が左右方向に回転、かつ、ロックされ、また、椅子全体が昇降し、さらに、背凭れが起伏できるようにした理美容椅子の油圧回路を図４と共に説明する。
１は椅子全体の回転を停止させるために図示しないロックスイッチを操作すると油圧が供給されロックするためのロックシリンダ、２は図示しない上昇用スイッチを操作すると油圧が供給され椅子全体を上昇させ、また、図示しない下降用スイッチを操作すると椅子の重みによって下降する昇降シリンダ、３は図示しない背凭れ起立用スイッチを操作すると油圧が供給され背凭れを起立させ、また、図示しない伏倒用スイッチを操作するとスプリングのバネ力によって伏倒する背凭れシリンダである。なお、一般的に椅子の昇降用スイッチおよび回転をロックさせるためのスイッチはフートスイッチが使用されている。
【０００３】
４，５は前記ロックシリンダ１に接続されたロック解除用電磁バルブとロック用電磁バルブ、６，７は前記昇降シリンダ２に接続された下降用電磁バルブと上昇用電磁バルブ、８，９は前記背凭れシリンダに接続された伏倒用電磁バルブと起立用電磁バルブである。そして、前記ロック用電磁バルブ４，５はロック解除用スイッチとロック用スイッチに、昇降用電磁バルブ６，７は下降用スイッチと上昇用スイッチに、背凭れ用電磁バルブ８，９は伏倒用スイッチと起立用スイッチにそれぞれ接続されている。
【０００４】
１０は油圧回路内の圧力を設定値に保持するためのリリーフ弁、１１は一方向からの油のみを通過させる逆止弁、１２は油タンクにして、複数個所に分離して記載してあるが、実際には１つの油タンクである。１３は油タンク１２内の油を前記電磁バルブ５，７，９を介して各シリンダ１〜３に油圧を供給するためのモータポンプ、１４は油圧回路内の油に混入されるゴミ等を除去するフィルタである。
【０００５】
次に、前記した油圧回路の動作を説明するに、下降している椅子全体を上昇させるには図示しない上昇用フートスイッチを踏み込むと、上昇用電磁バルブ７が図示の状態から切り換わりモータポンプ１３からの油は上昇用電磁バルブ７、逆止弁１１を介して昇降用シリンダ２内に供給されて椅子は上昇を開始する。そして、所望の位置において上昇用フートペダルから足を離すと、上昇用電磁バルブ７は図示の状態に戻り上昇は停止される。
【０００６】
一方、上昇している椅子を下降させるには図示しない下降用フートスイッチを踏み込むと下降用電磁バルブ６が図示の状態から切り換わり昇降用シリンダ２内の油は、椅子の重量等によって下降用電磁バルブを介してタンク１２内に戻されるので下降を開始する。そして、所望の位置において下降用フートペダルから足を離すと、下降用電磁バルブ６は図の状態に戻り、その位置で椅子の下降は停止される。
【０００７】
また、背凭れを起伏させるためには、一般的に椅子の側面に設置されている起伏用スイッチを操作することにより、前記椅子の昇降動作と同じ動作によって背凭れを起伏させることができる。
【０００８】
さらに、椅子の回転をフリーにしたりロックしたりする動作について説明するに、一般的に椅子の回転をフリーにしたりロックする構造としては、椅子と共に回転する円板と、ロック杆とより構成され、該ロック杆をロックシリンダ１によって突出させたり退避させることにより行うものである。
【０００９】
そして、前記円板に嵌合しているロック杆をロック解除用フートペダルを踏み込んで図の状態から切り換え、前記ロック解除用電磁バルブ４を介してロックシリンダ内の油をタンク１２内に戻すことにより、ロック杆が円板から退避することにより椅子の回転はフリーな状態となる。また、椅子を回転した後にロック用フートペダルを踏み込むとロック用電磁バルブ５が図の状態から切り換えられ、タンク１２からの油はロック用電磁バルブ５を介してロックシリンダ１内に供給されるので、ロック杆が円板に嵌合されて椅子の回転は停止状態となるものである。
【００１０】
【発明が解決しようとする課題】
ところで、前記した従来の椅子全体の回転、ロックは、フートペダル操作によって行うものであるため、椅子の昇降や背凭れの起伏を前記回転のロックをしていない状態で行うと、椅子の上下動や背凭れの起伏時に椅子が回転する可能性があり、そのために被施術者が椅子から落ちたり、施術者が椅子の回転に巻き込まれて怪我をする可能性があった。
【００１１】
また、椅子の回転、ロックを行うためには、専用のスイッチが必要となり、かつ、椅子の回転ロックの油圧回路に電磁弁が２個必要となるため、油圧回路が複雑になるのでコストが高くなると共に、複雑であるため故障もし易いといった問題があった。
【００１２】
本発明は前記した問題点を解決せんとするもので、その目的とするところは、椅子の上下動、背凭れの起伏時には椅子の回転が自動的にロックされるようにしたので、ロックのための操作が必要でなく、かつ、不用意に椅子が回転することがないので、被施術者および施術者を怪我などの危険性から守ることができる理美容椅子等におけるロック装置を提供せんとするにある。
【００１３】
【課題を解決するための手段】
本発明の理美容用椅子等におけるロック装置は前記した目的を達成せんとするもので、その手段は、椅子と共に回転する円板に対してロックシリンダのロック杆を突出させることで前記円板に係合されて椅子の回転が阻止される理美容用椅子等におけるロック装置において、モータポンプに対して並列接続された椅子上昇用電磁バルブと背凭れ起立用電磁バルブと、前記椅子上昇用電磁バルブよりの油は通過させる椅子用逆止弁を介して直列接続された椅子下降用電磁バルブと、前記椅子用逆止弁と前記椅子下降用電磁弁との接続点に接続された椅子昇降用シリンダと、前記背凭れ起立用電磁弁よりの油は通過させる背凭れ用逆止弁を介して直列接続された背凭れ伏倒用電磁バルブと、前記背凭れ用逆止弁と前記背凭れ伏倒用電磁弁との接続点に接続された背凭れ起伏用シリンダと、前記モータポンプに並列接続された前記椅子上昇用電磁バルブと前記背凭れ起立用電磁弁よりも上流側にモータポンプよりの油は通過させるロック用逆止弁を介して接続されロック用シリンダと、前記ロック用逆止弁と前記ロック用シリンダとの接続点に接続されたロック解除用電磁バルブと、前記ロック用逆止弁と前記モータポンプとの接続点より下流側における前記椅子上昇用電磁バルブと前記背凭れ起立用電磁バルブとのそれぞれに接続された絞り弁とより構成し、前記モータポンプよりの油が前記椅子上昇用電磁バルブおよび背凭れ起立用電磁バルブに流れる際にそれぞれに接続されている絞り弁によって流量制限が行われることで、前記ロック用逆止弁を介して前記ロック用シリンダに油が流れ、これによりロック杆が円板に係合されて椅子の回転が阻止されることを特徴とする。
【００１４】
また、椅子と共に回転する円板に対してロックシリンダのロック杆を突出させることで前記円板に係合されて椅子の回転が阻止される理美容用椅子等におけるロック装置において、モータポンプに対して並列接続された椅子上昇用電磁バルブと背凭れ起立用電磁バルブと、前記椅子上昇用電磁バルブよりの油は通過させる椅子用逆止弁を介して直列接続された椅子下降用電磁バルブと、前記椅子用逆止弁と前記椅子下降用電磁弁との接続点に接続された椅子昇降用シリンダと、前記背凭れ起立用電磁弁よりの油は通過させる背凭れ用逆止弁を介して直列接続された背凭れ伏倒用電磁バルブと、前記背凭れ用逆止弁と前記背凭れ伏倒用電磁弁との接続点に接続された背凭れ起伏用シリンダと、前記モータポンプに並列接続された前記椅子上昇用電磁バルブと前記背凭れ起立用電磁弁よりも上流側にモータポンプよりの油は通過させるロック用逆止弁を介して接続されロック用シリンダと、前記ロック用逆止弁と前記ロック用シリンダとの接続点に接続されたロック解除用電磁バルブと、前記ロック用逆止弁と前記モータポンプとの接続点より下流側における前記椅子上昇用電磁バルブと前記背凭れ起立用電磁バルブとの接続点に接続された１個の絞り弁とより構成し、前記モータポンプよりの油が前記椅子上昇用電磁バルブおよび背凭れ起立用電磁バルブに流れる際に前記絞り弁によって流量制限が行われることで、前記ロック用逆止弁を介して前記ロック用シリンダに油が流れ、これによりロック杆が円板に係合されて椅子の回転が阻止されることを特徴とする。
【００１５】
【発明の実施の形態】
以下、本発明に係る理美容椅子等におけるロック装置の一実施の形態を図面と共に説明する。なお、前記した従来例と同一符号は同一部材を示し説明は省略する。
前記した従来と本発明の実施の形態とで相違する点は、ロック用電磁バルブ５を削除し、椅子の上昇用電磁バルブ７および背凭れ起立用電磁バルブ９とを接続する接続点ａと、椅子の昇降用シリンダ２への給油分岐点ｂおよび背凭れ起伏用シリンダ３への給油分岐点ｃとの間に絞り弁１５を介在した点で異なるのみである。なお、前記２個の絞り弁１５に代えて点線で示す位置に１個の絞り弁１５を介在させてもよい。
【００１６】
次に、図２に示す油圧回路における各電磁バルブ４，６〜９およびモータポンプ１３の駆動制御を行うための電気回路について説明する。この回路において図１と同一符号は同一部材を示している。
Ｓ９は背凭れ起立用スイッチ、Ｓ８は背凭れ伏倒用スイッチにして、椅子における肘掛けの側面に設置されている。
【００１７】
Ｓ７は椅子上昇用スイッチ、Ｓ６は椅子下降用スイッチにして、椅子の基台に設置されているフートスイッチとなっている場合が多い。Ｓ４は同じく椅子の基台に設置されている椅子の回転を可能とするロック解除用スイッチ、Ｓ５は椅子の回転を阻止するロック用スイッチである。
【００１８】
Ｒ９は前記背凭れ起立用スイッチＳ９に対して直列接続されたリレー（コイル）、Ｒ８は前記背凭れ伏倒用スイッチＳ８に対して直列接続されたリレー（コイル）、Ｒ７は前記椅子上昇用スイッチＳ７に対して直列接続されたリレー（コイル）、Ｒ６は前記椅子下降用スイッチＳ６に対して直列接続されたリレー（コイル）、Ｒ４は前記ロック解除用スイッチＳ４に対して直列接続されたリレー（コイル）、Ｒ１３は前記モータポンプ１３を駆動するためのリレー（コイル）である。
【００１９】
ｒ９は起立用電磁バルブ９に直列接続された前記リレーＲ９の接点、ｒ８は伏倒用電磁バルブ８に直列接続された前記リレーＲ８の接点、ｒ７は上昇用電磁バルブ７に直列接続された前記リレーＲ７の接点、ｒ６は下降用電磁バルブ６に直列接続された前記リレーＲ６の接点、ｒ４はロック解除用電磁バルブ４に直列接続された前記リレーＲ４の接点、ｒ１３はモータポンプ１３に直列接続された前記リレーＲ１３の接点である。なお、Ｄは逆流防止用のダイオード、Ｅは交流電源である。
【００２０】
次に、前記した構成に基づいて動作を説明するに、椅子が下降状態にあり、かつ、背凭れが起立状態において、例えば、椅子の上昇用スイッチＳ７をフートペダルを踏み込んで閉状態とすると、上昇用リレーＲ７のコイルに通電されて接点ｒ７が閉成されて上昇用電磁バルブ７が切換えられ、また、上昇用リレーＲ７のコイルへの通電と同時に該リレーＲ７のコイルにダイオードＤで接続されているモータポンプ用リレーＲ１３のコイルにも通電されるので、接点ｒ１３も閉成される。
【００２１】
従って、モータポンプ１３よりの圧力油は絞り弁１５、上昇用電磁バルブ７逆止弁１１およびフィルタ１４を介して昇降用シリンダ２内に供給され、これにより椅子全体が上昇用スイッチＳ７が閉じられているいる間だけ上昇することとなる。
【００２２】
前記椅子の上昇時において、椅子の回転をロックするためのロック杆用シリンダには、椅子の昇降用シリンダ２の油圧回路内に絞り弁１５が接続されていることから、該絞り弁１５による差圧分の圧力による油がロック杆用シリンダに供給されて、ロック杆は円板に嵌入して固定状態を保持するので、前記椅子の上昇を行っている途中で椅子が回転することはない。
【００２３】
次に、上昇状態にある椅子を下降させるために、下降用スイッチＳ６をフートペダルを踏み込んで閉状態にすると、下降用リレーＲ６のコイルに通電されて接点ｒ６閉成されて下降用電磁バルブ６が切換えられ、また、下降用リレーＲ６のコイルへの通電と同時にモータポンプ用リレーＲ１３のコイルにも通電されるので、接点ｒ１３も閉成される。
【００２４】
前記下降用電磁バルブ６が切換えられると、昇降用シリンダ１５の油はフィルタ１４、下降用電磁バルブ６を介して油タンク１２内に戻るので、椅子はスイッチＳ６をと閉じている間だけ下降する。また、前記スイッチＳ６が閉じられるとモータポンプ１３が駆動して、圧力油をロック杆用シリンダに供給するのでロック杆は円板に嵌入して固定状態を保持し、前記椅子の下降を行っている途中で椅子が回転することはない。
【００２５】
また、ロック用スイッチＳ５をフートペダルを踏み込んで閉状態にすると、モータポンプ用リレーＲ１３のみに通電され接点ｒが閉成されるので、モータポンプ１３が駆動して椅子の回転が行われないようにロック状態となる。
【００２６】
次に、椅子が上昇位置あるいは下降位置にある状態で、椅子を回転させる動作について説明するに、ロック解除用スイッチＳ４をフートペダルを踏み込んで閉状態にすると、ロック解除用のリレーＲ４のコイルに通電されて接点ｒ４が閉成されるので、ロック解除用電磁バルブ４が切換えられる。
【００２７】
従って、ロックシリンダ１内の油はフィルタ１４、ロック解除用電磁バルブ４を介して油タンク１２内に戻り、ロック杆が円板から退避して椅子全体の回転がロック解除用スイッチＲ４を閉じている間だけ可能となる。
【００２８】
前記した動作説明は、椅子の昇降および椅子の回転動作について説明したが、背凭れの起伏動作は前記椅子の昇降と同じ動作を行うので説明は省略するが、この背凭れの起伏動作においても、ロック杆が円板に嵌入し椅子の回転を阻止した状態を保持するものである。
【００２９】
なお、前記した動作説明は、絞り弁１５を椅子の上昇用電磁バルブ７および背凭れの起立用電磁バルブ９とを接続する接続点ａと、椅子昇降用シリンダ２への給油分岐点ｂおよび背凭れ起伏用シリンダ３への給油分岐点ｃとの間に接続したものについて説明したが、絞り弁１５は図１の点線で示すように、油圧駆動を行うモータポンプ１３と、椅子の上昇用電磁バルブ７および背凭れの起立用電磁バルブ９とを接続する接続点ａとの間に接続しても、前記したと同じ動作が得られるものである。
【００３０】
また、前記した実施の形態にあっては、ロック用電磁バルブを接続しないものを説明したが、ロック用電磁弁を接続したものであってもよく、要は、椅子の昇降や背凭れの起伏時にロック杆が円板に嵌入されロックが掛かった状態であればよいものである。
【００３１】
なお、前記した図２の電気回路に限定されるものではなく、マイコン等の制御回路によって、図３に示すタイミングチャート図に示す制御を行い、モータポンプ１３の動作する時間を最小とすることも可能となる。
【００３２】
【発明の効果】
本発明は前記したように、椅子の昇降あるいは背凭れの起伏を行わせるためのスイッチが操作されると椅子の回転がロックされるようにしたので、ロックのための操作が必要でなく、かつ、不用意に椅子が回転することがないので、被施術者および施術者を怪我などの危険性から守ることができ、また、ロック用シリンダに油を供給する側の電磁バルブが不要となることから、コストダウンおよびスペースの削減が図れる等の効果を有するものである。
【図面の簡単な説明】
【図１】本発明に係る理美容椅子等におけるロック装置の油圧回路である。
【図２】同上の油圧回路における各種電磁バルブおよびモータポンプを制御するための電子回路である。
【図３】マイコン等の制御回路によって制御した場合のタイミングチャート図である。
【図４】従来例の油圧回路である。
【符号の説明】
１          ロック用シリンダ
２          椅子の昇降用シリンダ
３          背凭れの起伏用シリンダ
４          ロック解除用電磁バルブ
６          下降用電磁バルブ
７          上昇用電磁バルブ
８          伏倒用電磁バルブ
９          起立用電磁バルブ
１３        モータポンプ
１５        絞り弁
【図１】
0003737682.tif 000002
【図２】
0003737682.tif 000003
【図３】
0003737682.tif 000004
【図４】
0003737682.tif 000005